(57)【要約】      （修正有）【課題】簡単に設置ができて、免疫力をアップできる、濃度の高いマイナスイオンを与えて美と健康予防になる足の癒装置を提供する。【解決手段】体内の超微小生命体を活性化させて血液循環を良くし、又、濃度の高いマイナスイオンを、足の湯お風呂で湯と酸素等を中和させ、口・鼻・皮膚・内臓、又、肌に吸収させて健康予防と美容に役立つ、足の癒の装置であって、マイナスイオン発生装置４は電気石の神秘の力を応用して濃度の高いマイナスイオンボールと電気石収納器具を備える。【選択図】図１
2015096184.tif 000002
【特許請求の範囲】
【請求項１】
病気になる原因・病気にならない方法の原点を開発。ソマチットのエサ。
人間の体は、約６５個の原子から成り立っているのです。胃・腸・内臓・骨・皮膚・細胞等です。その（細胞）が原子です。原子核の真ん中がプラス電気。外側の電子が、自由電位マイナス電気である。文明の環境の悪化により、マイナスイオンが人体から飛び出す、この状態をフリーラジカルと言う、酸化をひきおこす原因で人体の超微小生命体に免疫が低下することで病気になるのです。人間の体内に細胞の数が（約６０兆）以上有ると言われています。細胞（６０兆）の何百倍〜何千倍も存在する超微小生命体の大切な生きものがいる事を多くの医学博士の研究でソマチットを発見された。生活環境の変化により悪化し・人体の超微小生命体の大切な生き物が、活動が無くなると、不明な病気、又、生活習慣病気等が増加する時代と共に医療費の負担が増加している現況です。
【請求項２】
当社は電気石の神秘について長年研究開発の結果、人体の超微小生命体に免疫を高め（水素濃度の高い、自由電位・マイナスイオン）を数比類の自然電気石、鉱石を混合し人体に大切な濃度の高いマイナスイオン発生装置を開発した。トルマリン鉱石と黒曜石（電気鉱石・自然ラジウム鉱石）その他電気石等を混合し、エアーと水圧力でマイナスイオンを送り、足湯壺の中で濃度の高いマイナスイオンと酸素及び湯と、中和されます。足入浴しながら鼻・口・皮膚から人体にマイナスイオンが吸収されて、体内の超微小生命体に還元され免疫力を高め活性化できる装置の開発です。
【請求項３】
長野県和田峠産の黒曜石を長年研究した結果、黒曜石とトルマリン鉱石及び、リンサンエン鉱石・その他の電気鉱物を混合し、イオンボールを開発した、他には類の無い強力マイナスイオンが発生するイオンボールの作成が出来、人体に良いイオンの成分が出来たのです。秋田県の玉摩川温泉（北投石）以上のマイナスイオン発生が出来る黒曜石イオンボールが開発しました、黒曜石イオンボールから出るマイナスイオンは、１ボール（Φ１０ｍｍ）当り２０秒間に２７００個１ＣＣ（株式会社佐藤商事形式ＣＯＭ−３０１０ＰＲＯ使用）の検査測定器から出ています。又、日本機能性イオン協会より商品名「やく石の癒」認定番号１２５−Ａ０５４の認定登録証を得ています。上記の、「やく石の癒」、佐藤会社の測定機で測定の結果２０秒間に１ｃｍ３から１０．０００個以上のマイナスイオンが半永久的持続します。マイナスイオンと足癒入浴しながら、人体に免疫力を与える事によって美と健康予防になる最適な開発装置です。
【発明の詳細な説明】
【技術分野】複合電気石の神秘の力によって免疫をアップ。
【背景技術】
【０００１】  本発明は、人体の超微小生命体、生き物に免疫力をアップできる、濃度の高いマイナスイオンを与えて美と健康予防になる足の癒装置開発です。
【発明の開示】
【０００２】  一般の足湯は温泉地に多く有りますが、開発装置は簡単に設置ができる方法とマイナスイオン発生量が多量に発生し経費が安価です。生活環境の悪化により電磁波が多くマイナスイオンの役割が重要である。
【発明が解決しようとする課題】
【０００３】  病気になる原点は人体の超微小生命体ソマチットの活動が悪化して病気になる原因のようです。
２１世紀の美と健康予防は、超微小生命体ソマチットに免疫力を高めマイナスイオン（自由電位）（エサ）を与える事が健康予防になる方法の時代です。
人間の体は、約６３〜６５個の原子から成り立っている。世の中の全ての物は、１０３個の原子から成り立っていると言われています。原子とは？水は２個の原子（Ｈ２  Ｏ）水素と酸素で水になります。人体は、胃・腸・内臓・骨・皮膚・それを小さくすると（細胞）になります。細胞が人間の原子です。
【０００４】  細胞の真ん中に原子核があります。原子核がプラス電気です。細胞の外側の電子が、マイナス電子（マイナス電気）です。毎日安定している状態が良いのですが、現代の生活環境が悪化し、輸入食品・赤外線・電磁波・排ガス・ストレス等でマイナスイオンが人体から常に酸化しています、人体から酸化する事で病気になるのです。この状態を不対電子（フリーラジカル）と言います。
【０００５】  人体の新しい、細胞・骨・血液・等を作るものが超微小生命体ソマチットの活力が重要です。超微小生命体ソマチットの（エサ）になるのが（自由電子・マイナスイオンです、その（マイナスイオン）が簡単にできる足癒から取り入れることができる画期的な開発装置です。
【０００６】  超微小生命体ソマチットは新しい細胞・骨・人体の全部をつくる役割をしている事が医学会で解明されつつあります。
【０００７】マイナスイオンは森林浴（滝壺）近辺に多く発生していますが、毎日家族で森林浴に行く事は不可能です。足癒マイナスイオン発生装置は、トルマリン鉱石×黒曜石×その他の複合電気石の組み合わせにより（図面１〜５）の方法でマイナスイオンが作成できます。（マイナスイオン）鉱石測定器数値は（１ｃｍ３）から２０秒間に１万個以上の（マイナスイオン）が半永久持続する方法です。
【０００８】  超微小生命体は人体の赤血球の近辺をチラチラと活動している、超微小生命体です、大きさは（８０ナノメートル）である。普通の光学顕微鏡では発見できないほど超微小生命体の生きものである。超微小生命体をマイナスイオン水に入れると自然と元気に活動する事が発見できたのです。フランスの（ガストン・ネサンの研究で発見されたのです）ソマチット≒超微小生命体と言う。
【課題を解決するための手段】
【０００９】  文明の日本観光ブームとなり、ドライブ旅行が多く、道の駅休息所に足の癒で、又は、食道等に又、多くのサービス業に設置できていれば、疲れをとり次の目的地に事故無く楽しいドライブになります。足の癒施設が簡単に設置ができて温泉気分で健康維持ができる開発装置です。
【００１０】長野県和田峠産黒曜石を利用した黒曜石とトルマリン鉱石及びリンサンエン鉱物・その他の電気石を複合粉末ミックスに作成して、９００度から１０００度、以下でセラミックスボル（図面−１の▲１▼イオン発生器収納、▲３▼穴開きパイプ。▲６▼水中ポンプから湯が送られ、図面−３の配管図のように循環される。
（図３足湯槽に水をいれて（図３‐）▲６▼水中ポンプが稼働すると水圧が上がり、▲１▼からマイナスイオンが発生し▲１１▼パイプから足湯槽の中に（マイナスイオン）が混合される、足が温まり、鼻・口からマイナスイオンを吸いこんで健康回復になる装置です。
【発明の効果】
【００１１】  ▲１▼の中に自然鉱石等が混入してあります。トルマリン鉱石は人体に効能効がある薬石として世間で数多の色々な方法で使用されている鉱石である。特にトルマリン鉱石を飲料水に多く使用されている、その鉱石を使用する事により身体全体の超微小生命体ソマチットが活性化される。
昔から健康水として黒曜石を色々な方法で加工されて使用している。この収納ケースの利点は、複数の電気石を入れ替えが可能です。
【発明を実施するための最良の形態】
【００１２】使用する黒曜石は産地として有名な長野県和田峠産であり、その成分含有率の一例を表１に示す。
【表１】
2015096184.tif 000003
【表２】
2015096184.tif 000004
上記の鉱石で長年実験と体験場（当社）岩盤浴１０万人の入浴者の美と健康予防の実績結果です。体験者の要望により、足癒を開発しました。【００１３】  病気になる原点・病気を予防する原点
驚異のマイナスイオンは命の宝です。神秘とは、人間の知恵ではおしはかれない不思議な事２１世紀の充電革命の時代です。【００１４】  人間の場合は、体を分離していくと、胃・腸・内臓・骨・皮膚など、それをどんどん小さいものが細胞です。人体の６０兆細胞が１個１個の発電所の役割をして電気をつくっているのです。人体は、約６３〜６５の原子から成り立っています。その原子核にマイナスイオンが必要です。
▲１▼  電気エネルギー、熱エネルギー、力学的エネルギー、などを生産していることが確認されたのです。
▲２▼  人体の全体が電気系ネットワークで、生体電気現象は、心臓で発生するその電気を、即、脳波から続き筋肉という順序になっています。その細胞が原子で出来ているのです。
▲３▼  健康は細胞の活性化であり、老化は細胞が老化するのです。病気は細胞が免疫低下すると病気になるのです。その予防に足の癒で補う方法です。【００１５】人体に６０兆個の細胞の数百倍〜数千倍いる、超微小生命体（ソマチット）がいることを、ガストンネサン博士が発見されたのです。
当社は人体の超微小生命体に免疫を与える（エサ）を複合電気石の神秘について長年研究を重ねて、濃度の高いマイナスイオンを開発し、やく石の癒岩盤浴、又、簡単に取り付けできる（家庭用のやく石の癒器具）（図‐６）を開発したのです。【００１６】▲１▼  病気になる原点とは、人は約６３〜６５個の原子から成り立っていると言れておりますその原子核はプラス電子で、外側の電子がマイナス電気です。
▲２▼  本来、この様に、原子は中性を保って安定しています。
▲３▼  対に安定している状態が良いのですが、何かしらエネルギーが（赤外線・電磁波・排ガス・食物・ストレス）などが加わると、マイナスイオンが人体から飛び出して色々な病になるのです。
▲４▼  病気になる原点は、細胞の活性化、マイナスイオンにかかっているのです。
▲５▼  今回の開発足の癒は、人体の細胞に多量の濃度の高いマイナスイオンを体内に還元できる装置です。【００１７】（図面６）写真本体のように、１センチリッポーから２０秒間にマイナスイオが１万個以上、半永久持続しています。湯槽の中に６個を組み合わせてあります。
【図面の簡単な説明】
【００１８】
【図１】横断面図  湯壺（足の癒）槽の横断面図です。
【図２】縦断面図  湯壺（足の癒）槽の断面図  ▲１２▼湯圧力穴開きパイプ及び▲１▼イオン発生収納場所。
【図３】湯壺の平面図  ▲４▼マイナスイオン発生させ、▲１１▼穴開きパイプから▲６▼の水中ポンプ送水圧力から吹き出す。
【図４】断面図  滝流れ▲１４▼▲１３▼発生装置  足の湯壺（槽）全体の横断面図
【図５】断面図  滝の流れと湯壺の組み合わせ断面図
【図６】立体図  エアーポンプと（濃縮マイナスイオン発生器具）イオンボールを収納した装置。マイナスイオン発生装置の写真。
【００１９】▲１▼  （図面−６）エアーポンプを据え付けて、（図面−３）湯壺の中に▲４▼を据付
▲２▼  １時間稼働することで、足の癒（槽）の湯はマイナスイオン（湯）又、浴室内はマイナスイオが充満した健康予防の足の癒風呂となります。
▲３▼  老人ホーム・病院・福祉・関係に手のかからない最高サービス設備です。【００２０】  図面‐６を体験された数百人の回復報告を頂いた実例。
大腸ガン・直腸ガン・肝臓ガン・前立ガン・膀胱ガン・リンパガン・肺ガン・乳ガン・糖尿病・食堂ガン等の多くの病気の方々から感謝を頂いております。
それは
人体の細胞は、６ヶ月間で新しい細胞ができ、皮膚は２８日間で入れ替わることが解明されています。
複合電気石・濃度の高いマイナスイオン発生（やく石の癒）は超微小生命体に（エサを）多量にマイナスイオンを与えることで健康な細胞・皮膚等が入れ替わり健康予防になるのです。
足の癒も同様美と健康予防にお役にたちます。
【符号の説明】
【００１５】１    マイナスイオン発生
２    足の癒（湯壺）
３    穴開き送湯パイプ、（マイナスイオン吹き出し口）
４    マイナスイオン（自由電位）発生装置
５    堺パネル板、（浄化装置）
６    水中ポンプ
７    湯オウバー排水出口
８    排水出口
９    ボイラー設備
１０  追い焚き配管
１１  マイナスイオン吹き出し穴
１２  穴開きマイナスイオン吹き出し固定場所と配管
１３  滝流れ吹き出し穴開きパイプ
１４  滝流れ斜面板
１５  滝流れ装置  カバー
１６  腰掛け木製板
【図１】
2015096184.tif 000005
【図２】
2015096184.tif 000006
【図３】
2015096184.tif 000007
【図４】
2015096184.tif 000008
【図５】
2015096184.tif 000009
【図６】
2015096184.tif 000010